(57)【要約】【課題】球抜通路の少なくとも一部を内枠の前面側に配置することで、内枠の後面側に配置される部品点数を削減し、遊技機の後面側の部品配置スペースを球抜通路以外の他の用途に有効に利用し易い構成を提供する。【解決手段】弾球遊技機１は、遊技盤４が装着される内枠３と、内枠３の前面３ａ側に設けられる前面枠５と、前面枠５に設けられる上皿５ｃと、を備えている。そして、払出通路２０は、前方側の一部が内枠３の前面３ａ側に配置され、球払出装置１０から払い出された遊技球Ｂを少なくとも内枠３の前面３ａ側を通過するように上皿５ｃに誘導する。また、球抜通路３０は、前方側の一部が内枠３の前面３ａ側に配置され、球抜部６０によって抜き取られた遊技球Ｂを少なくとも内枠３の前面３ａ側を通過するように機外へ誘導する。【選択図】図５
2016106810.tif 000002
【特許請求の範囲】
【請求項１】
遊技盤が装着される内枠と、
前記内枠の前面側に設けられる前面枠と、
前記前面枠に設けられる球受皿と、
所定の条件に基づいて遊技球を払い出す球払出装置と、
前記球払出装置から払い出される遊技球を前記球受皿に誘導する払出通路と、
前記球払出装置に供給される遊技球を抜き取る球抜き手段と、
前記球抜き手段によって抜き取られた遊技球を機外へ誘導する球抜通路と、
を備え、
前記払出通路は、少なくとも一部が前記内枠の前面側に配置され、前記球払出装置から払い出された遊技球を少なくとも前記内枠の前面側を通過するように前記球受皿に誘導し、
前記球抜通路は、少なくとも一部が前記内枠の前面側に配置され、前記球抜き手段によって抜き取られた遊技球を少なくとも前記内枠の前面側を通過するように機外へ誘導することを特徴とする弾球遊技機。
【請求項２】
前記球抜通路に連通し、前記球抜通路を流下する遊技球を前記内枠の前面側から後面側へ誘導し機外へ排出する排出通路を備えることを特徴とする請求項１に記載の弾球遊技機。
【請求項３】
前記内枠の前面側に配置される前記払出通路と前記球抜通路は、少なくとも一部が遊技球が共通して通過可能な共通球通路を有し、
前記共通球通路は、前記球払出装置から払い出された遊技球を前記内枠の前面側を通過するように前記球受皿に誘導すると共に、前記球抜き手段によって抜き取られた遊技球を前記内枠の前面側を通過するように機外へ誘導することを特徴とする請求項１又は請求項２に記載の弾球遊技機。
【請求項４】
前記共通球通路は、前記排出通路に連通可能な構成であり、
前記共通球通路を通過する遊技球を前記払出通路を介して前記球受皿に誘導する状態と、前記共通球通路を通過する遊技球を前記排出通路を介して機外へ排出する状態と、に切り替える切替手段を備えることを特徴とする請求項３に記載の弾球遊技機。
【請求項５】
前記払出通路の少なくとも一部と、前記球抜通路の少なくとも一部は、前記内枠の前面側において前後方向に重なるように配置されていることを特徴とする請求項１又は請求項２に記載の弾球遊技機。
【発明の詳細な説明】
【技術分野】
【０００１】
本発明は、弾球遊技機に関するものである。
【背景技術】
【０００２】
従来より、ぱちんこ機などの遊技機には、後面上部に配置された球貯留タンクから遊技球が供給され、遊技機の前面側に設けられた球受皿へ所定数の賞球や貸し球を払い出す球払出装置が設けられている。そして、このような球払出装置は、球受皿へと続く払出通路を介して当該球受皿に遊技球を誘導する構成となっている。また、球払出装置には、遊技球を遊技機外へ排出する球抜通路が接続されており、台替えや球払出装置の交換の時などに、この球抜通路を介して球抜きを行うようになっている。
【先行技術文献】
【特許文献】
【０００３】
【特許文献１】特許第４８６４６３０号公報
【発明の概要】
【発明が解決しようとする課題】
【０００４】
例えば、特許文献１で開示される遊技機では、タンク２０から球受皿部２５の側に払い出される球を誘導する球払出通路２８と、球払出機構２１から払い出された球を球払出通路２８を迂回して機外に排出する球抜き通路２９と、を備えている。そして、球払出通路２８は、前扉４に取り付けられて当該前扉４の前側から見えるように球を誘導する一方で、球抜き通路２９は、遊技盤４１が取り付けられた可動枠３の後面側に設けられて球を球払出通路２８を迂回して可動枠３の裏側に排出するように構成されている。
【０００５】
しかしながら、このような構成では、球抜き通路２９が可動枠３の後面側に設けられることによって、可動枠３に配置される部品点数が増大し、遊技機の後面側のスペースが制限されることになる。一般に遊技機の後面側には役物や各種制御基板などが配置されるため、当該箇所の部品点数の増大に起因する嵩張りによってこれら部品の配置スペースが制限されてしまうなど、遊技機の後面側のスペースを有効的に活用できない虞がある。特に、近年の遊技機では、遊技者の興趣を高めることを目的として、遊技領域を拡大して遊技領域内に配置される液晶表示装置や役物が大型化する傾向にある。そのため、遊技機の後面側をより一層コンパクト化することが求められている。
【０００６】
本発明は、上述した課題を解決するためになされたものであり、球抜通路の少なくとも一部を内枠の前面側（前面枠）に配置することで、内枠の後面側に配置される部品点数を削減し、遊技機の後面側の部品配置スペースを球抜通路以外の他の用途に有効に利用し易い構成を提供することを目的とする。
【課題を解決するための手段】
【０００７】
本発明の弾球遊技機は、
遊技盤が装着される内枠と、
前記内枠の前面側に設けられる前面枠と、
前記前面枠に設けられる球受皿と、
所定の条件に基づいて遊技球を払い出す球払出装置と、
前記球払出装置から払い出される遊技球を前記球受皿に誘導する払出通路と、
前記球払出装置に供給される遊技球を抜き取る球抜き手段と、
前記球抜き手段によって抜き取られた遊技球を機外へ誘導する球抜通路と、
を備え、
前記払出通路は、少なくとも一部が前記内枠の前面側に配置され、前記球払出装置から払い出された遊技球を少なくとも前記内枠の前面側を通過するように前記球受皿に誘導し、
前記球抜通路は、少なくとも一部が前記内枠の前面側に配置され、前記球抜き手段によって抜き取られた遊技球を少なくとも前記内枠の前面側を通過するように機外へ誘導することを特徴とする。
【発明の効果】
【０００８】
本発明の遊技機において、払出通路は、少なくとも一部が内枠の前面側に配置され、球払出装置から払い出された遊技球を少なくとも内枠の前面側を通過するように球受皿に誘導する構成であり、内枠の後面側に払出通路を設ける構成と比べて内枠の後面側に配置される払出通路に関する部品点数を低減させることができる。その上で、球抜通路は、少なくとも一部が内枠の前面側に配置され、球抜き手段によって抜き取られた遊技球を少なくとも内枠の前面側を通過するようにして機外へ誘導する構成であるため、内枠の後面側に球抜通路を設ける構成と比べて内枠の後面側に配置される球抜通路に関する部品点数を低減させることができる。そのため、内枠に設けられる遊技盤の後方側のスペースを広げて球抜通路以外の他の用途に有効に利用することができる。これにより、大型化した役物等を遊技機の後面側のスペースを利用して配置し易くなり、弾球遊技機の演出効果を一層高め易くなる。
【０００９】
また、本発明において、球抜通路に連通し、球抜通路を流下する遊技球を内枠の前面側から後面側へ誘導し機外へ排出する排出通路を備える構成としてもよい。
この構成では、球抜通路によって内枠の前面側で遊技球を誘導させつつ、当該遊技球を内枠の後面側で機外へ排出することができる。
【００１０】
また、本発明において、内枠の前面側に配置される払出通路と球抜通路は、少なくとも一部が遊技球が共通して通過可能な共通球通路を有し、共通球通路は、球払出装置から払い出された遊技球を内枠の前面側を通過するように球受皿に誘導すると共に、球抜き手段によって抜き取られた遊技球を内枠の前面側を通過するように機外へ誘導する構成としてもよい。
この構成では、払出通路と球抜通路とをそれぞれ独立して設ける構成に比べて、部材点数が削減されて製造コストを低減することができ、内枠の前面側におけるスペースを他の用途に有効に利用することができる。
【００１１】
また、本発明において、共通球通路は、排出通路に連通可能な構成であり、共通球通路を通過する遊技球を払出通路を介して球受皿に誘導する状態と、共通球通路を通過する遊技球を排出通路を介して機外へ排出する状態と、に切り替える切替手段を備える構成としてもよい。
この構成では、払出通路と球抜通路とを共通球通路によって共通化させる構成であっても、切替手段による切り替えによって、払出通路を介して球受皿に誘導させる状態と、排出通路を介して機外に誘導させる状態と、を使い分けることができる。
【００１２】
また、本発明において、払出通路の少なくとも一部と、球抜通路の少なくとも一部は、内枠の前面側において前後方向に重なるように配置されていてもよい。
この構成では、払出通路と球抜通路とが前後方向で重なることなく内枠の前面側に遊技盤面に沿って左右方向に併設配置される構成と比べて、遊技盤の前面側で当該遊技盤の前面に平行な方向のスペースを確保し易くなる。このため、遊技盤の前面に形成される遊技領域の範囲設定を広域化でき、設計の自由度を高めることができる。
【図面の簡単な説明】
【００１３】
【図１】図１は、本発明の第１実施形態に係る弾球遊技機を例示する正面図である。
【図２】図２は、図１の弾球遊技機の背面図である。
【図３】図３は、図１の弾球遊技機の平面図である。
【図４】図４は、図１のＡ−Ａ断面を概略的に示す断面図である。
【図５】図５は、図１のＢ−Ｂ断面を概略的に示す断面図である。
【図６】図６は、図１のＣ−Ｃ断面を概略的に示す断面図である。
【図７】図７は、図１のＤ−Ｄ断面を概略的に示す断面図である。
【図８】図８は、図３のＥ−Ｅ断面を概略的に示す断面図である。
【図９】図９（Ａ）は、図３のＦ−Ｆ断面を概略的に示す断面図であり、図９（Ｂ）は、図３のＨ−Ｈ断面を概略的に示す断面図である。
【図１０】図１０は、図２のＩ−Ｉ断面を概略的に示す断面図である。
【図１１】図１１は、図３のＪ−Ｊ断面を概略的に示す断面図である。
【図１２】図１２は、図１のＫ−Ｋ断面を概略的に示す断面図である。
【図１３】図１３は、本発明の第２実施形態に係る弾球遊技機を例示する正面図である。
【図１４】図１４は、図１３の弾球遊技機の背面図である。
【図１５】図１５は、図１３の弾球遊技機の平面図である。
【図１６】図１６は、図１３のＬ−Ｌ断面を概略的に示す断面図である。
【図１７】図１７は、図１３のＭ−Ｍ断面を概略的に示す断面図である。
【図１８】図１８は、図１３のＮ−Ｎ断面を概略的に示す断面図である。
【図１９】図１９は、図１３のＰ−Ｐ断面を概略的に示す断面図である。
【図２０】図２０は、図１５のＱ−Ｑ断面を概略的に示す断面図である。
【図２１】図２１（Ａ）は、図１５のＲ−Ｒ断面を概略的に示す断面図であり、図２１（Ｂ）は、図１５のＳ−Ｓ断面を概略的に示す断面図である。
【図２２】図２２は、図１４のＴ−Ｔ断面を概略的に示す断面図である。
【図２３】図２３は、図１５のＵ−Ｕ断面を概略的に示す断面図である。
【図２４】図２４は、図１３のＷ−Ｗ断面を概略的に示す断面図である。
【発明を実施するための形態】
【００１４】
[第１実施形態]
以下、本発明に係る弾球遊技機（以下、単に遊技機ともいう）１を具現化した第１実施形態について、図面を参照して説明する。
（遊技機の構成）
図１等を参照して遊技機１の構成を概説する。図１に示す遊技機１は、いわゆるパチンコ機として構成されるものであり、枠状に形成された外枠２の前面側の一側に遊技盤４が装着される内枠３（図４等参照）がヒンジ２ａ，２ａを介して前面側に向かって片開き可能に軸支されている。そして、その内枠３の前面３ａ側の一側に遊技盤４を視認可能とする窓部５ａが形成された前面枠５が開閉自在に取り付けられている。なお、前面枠５の窓部５ａには、遊技盤４の盤面（前面）４ａとほぼ平行にガラス板などによって構成された複数の透明板５ｂ（図４〜図６参照）が設けられ、当該透明板５ｂを介して遊技盤４を視認し得るようになっている。また、遊技盤４の盤面（前面）４ａには、発射装置５ｊより発射された遊技球Ｂを誘導するレール部（図示略）が設けられ、このレール部によって略円形状の遊技領域ＡＲが区画形成されている。そして、遊技機１は、遊技領域ＡＲ内において透明板５ｂと遊技盤４との間を遊技球Ｂが流下するように構成されている。なお、図示を省略するが、遊技盤４の遊技領域ＡＲには、各種表示を行い得る液晶表示部や、遊技球Ｂの入賞に基づき当該液晶表示部の図柄を変動させる始動入賞口や、当該液晶表示部の変動結果によって遊技球Ｂを受け入れる大入賞口などが配置される。
【００１５】
本明細書において、「前後方向」とは、遊技盤４の盤面（前面）４ａと直交する方向を意味し、盤面（前面）４ａに対し遊技者が位置するべき側を前方側、それとは反対側（即ち、遊技機１奥側）を後方側とする。また、「上下方向」とは、遊技盤４の盤面（前面）４ａと平行で遊技領域ＡＲを遊技球Ｂが流下する方向（鉛直方向）を意味する。また、「左右方向」とは、上記「前後方向」及び「上下方向」と直交する方向を意味、遊技機１の前方側に位置する遊技者の左手側が左側、それとは反対側を右側とする。
【００１６】
また、前面枠５には、遊技球Ｂを貯留し且つ貯留した遊技球Ｂを整流器５ｉを介して発射装置５ｊに供給する上皿（球受皿）５ｃ（図１、図２〜図７参照）と、この上皿５ｃが遊技球Ｂで一杯になったときに溢れ出た遊技球Ｂを貯留する下皿（球受皿）５ｄ（図１、図２、図５、図７参照）と、が設けられている。さらに、図１、図４に示すように、この下皿５ｄの右側には、発射装置５ｊによる遊技球Ｂの発射力を調節する球発射ハンドル５ｈが設けられている。
【００１７】
また、図２〜図５に示すように、内枠３において、後面３ｂ側の上端部には、図示しない球経路から供給される遊技球Ｂを貯留する補給タンク７が設けられ、この補給タンク７の下流端部に球払出装置１０へと遊技球Ｂを誘導する補給路７ａが設けられている。また、補給タンク７の下方であって、内枠３の後面３ｂ側には、遊技盤４の後方を覆うように液晶ベース６が設けられている。この液晶ベース６は、遊技盤４と略同じ大きさで前面側が開放する箱状に形成され、遊技盤４に設けられる液晶表示部（図示略）の液晶が収容されて、液晶ベース６の後面には演出制御基板６ａ、サブ基板６ｂ、遊技制御基板（主基板）６ｃ、盤中継端子板６ｄ〜６ｆなどが設置されている。また、液晶ベース６の下方には、電源基板８ａや払出制御基板８ｂなどが設置される下側ベース８が設けられている。
【００１８】
また、図１〜図５に示すように、球払出装置１０は、内枠３の後面３ｂ側且つ補給路７ａの終端に設けられ、所定の条件に基づいて遊技球Ｂを払い出すように構成されている。そして、球払出装置１０は、払出通路２０と接続されており、球払出装置１０から払い出される遊技球Ｂを内枠３の前面３ａ側を通過するように上皿５ｃに誘導する構成となっている。また、球払出装置１０は球抜通路３０とも接続されており、この球抜通路３０は、後述する球抜部（球抜き手段）６０によって抜き取られた遊技球Ｂを内枠３の前面３ａ側を通過するように機外へ誘導する構成となっている。また、払出通路２０と球抜通路３０は、一部が内枠３の前面３ａ側（前面枠５において各種装飾を施す飾り部５ｋの内部）に配置されて遊技球Ｂが共通して通過可能な共通球通路４０となっている。この共通球通路４０は、球払出装置１０から払い出されて払出通路２０を流下する遊技球Ｂと、球抜部（球抜き手段）６０によって抜き取られて球抜通路３０を流下する遊技球Ｂと、を内枠３の前面３ａ側まで誘導し、さらに内枠３の前面３ａ側で下方へと流下させる構成となっている。
【００１９】
また、図１に示すように、共通球通路４０の下方端部には、切替部（切替手段）８０が設けられており、球払出装置１０から遊技球Ｂを払い出す場合には、この切替部８０は常態で共通球通路４０を通過する遊技球Ｂを上皿５ｃに誘導する。一方で、球払出装置１０に供給される遊技球Ｂの球抜きを行う場合には、この切替部８０を操作して共通球通路４０を通過する遊技球Ｂを当該共通球通路４０に連通する排出通路５０に誘導する構成となっている。そして、排出通路５０は、遊技球Ｂを内枠３の前面３ａ側から後面３ｂ側に導き機外へ排出するようになっている。
【００２０】
（球通路の構成）
次に、第１実施形態の遊技機１における遊技球Ｂの払い出し及び球抜きを行う球通路について、図８〜図１２等を用いて説明する。
球払出装置１０は、図９（Ａ）（Ｂ）に示すように、略直方体形状に形成されるケース１０ａと、ケース１０ａ内に収容されるモータ１０ｂと、ケース１０ａ内に収容されてモータ１０ｂからの駆動力によって回転するスクリュー１０ｄと、を備えている。球払出装置１０は、補給路７ａの下方に前後方向に長手状となるように配置され、補給路７ａ、払出通路２０、及び球抜通路３０が接続されている。また、モータ１０ｂは、ケース１０ａ内の仕切壁に固着され、スクリュー１０ｄに回転駆動力を伝達する構成となっている。このモータ１０ｂは、例えばパルス信号によって回転制御可能なステッピングモータとして構成され、図８に示すように、遊技盤４の盤面４ａと直交する回転軸線Ｇ１を中心に回転する棒状の駆動軸１０ｃを介してスクリュー１０ｄを回転させるようになっている。また、スクリュー１０ｄは、前後方向に伸びる略円筒形状をなし、駆動軸１０ｃが挿通される軸孔１０ｅと、回転軸線Ｇ１に沿って螺旋状に続く溝部１０ｆと、が形成されている。そして、スクリュー１０ｄの軸孔１０ｅにモータ１０ｂの駆動軸１０ｃを挿通して固定することで、モータ１０ｂから回転駆動力がスクリュー１０ｄに与えられ、溝部１０ｆの遊技球Ｂを遊技機１の後方側から前方側に向かって送り出す構成となっている。
【００２１】
また、球払出装置１０において、図８、図９（Ａ）に示すように、ケース１０ａの側壁内部には、スクリュー１０ｄの側部に対向位置して、スクリュー１０ｄに沿って伸びる形状で当該スクリュー１０ｄに向かって突出し補給路７ａから供給される遊技球Ｂを受ける受部１０ｇと、ケース１０ａに形成された遊技球Ｂの導入口付近で、遊技球Ｂの流下方向に沿って伸びる形状で下方向に突出し遊技球Ｂの供給通路部の側壁を構成するガイド部１０ｈと、が形成されている。そして、受部１０ｇに支持されると共に溝部１０ｆに嵌り込んだ遊技球Ｂは、受部１０ｇによって下方側への変位が規制されると共に、ガイド部１０ｈによって側方への変位が規制され、スクリュー１０ｄが回転軸線Ｇ１を中心に反時計回りに回転することで当該遊技球Ｂが溝部１０ｆによって前方側へ押し出される構成となっている。なお、本明細書では、「反時計回り」及び「時計回り」とは、それぞれ球払出装置１０を前方側から見た時の反時計回り及び時計回りの方向である。また、スクリュー１０ｄの終端側には例えばフォトセンサや近接センサ（非接触式センサ）として構成される計数センサ１０ｉが設けられており、スクリュー１０ｄの回転により前方へ押し出された遊技球Ｂを計数するようになっている。
【００２２】
また、球払出装置１０は払出通路２０の払出上流通路２０ａと連通しており、この払出上流通路２０ａは、スクリュー１０ｄの終端部の位置から下方に向けて伸びる四角筒状に構成され、後述する球抜通路３０の球抜上流通路３０ａと連通するようになっている。そして、スクリュー１０ｄから払い出された遊技球Ｂは、計数センサ１０ｉで検知されて払出上流通路２０ａを下方へと通過することになる。
【００２３】
また、球払出装置１０には、図８、図１０に示すように、補給路７ａと連通する部分に球抜部（球抜き手段）６０が設けられている。この球抜部６０は、遊技盤４の盤面４ａと直交する回動軸線Ｇ２を中心に回動する軸支部６０ａと、この軸支部６０ａから径方向に延出する板状の延出部６０ｂと、この延出部６０ｂの径方向側端部に設けられ、補給路７ａの一部として機能する湾曲板状の球抜弁６０ｃと、を備えている。球払出装置１０に供給される遊技球Ｂの球抜きを行わない場合、球抜弁６０ｃは、補給路７ａに開設された球抜口７ｂを閉鎖して球払出装置１０に遊技球Ｂを供給する補給路７ａの屈曲通路部の湾曲壁として機能する。一方で、球払出装置１０に供給される遊技球Ｂの球抜きを行う場合、図示しない操作部を操作して球抜弁６０ｃを揺動自在状態とし、補給路７ａを流下する遊技球Ｂの荷重により球抜弁６０ｃを軸支部６０ａ（回動軸線Ｇ２）を中心に反時計回りに回動させることで、球抜弁６０ｃは、図８において左上方向に移動し、球抜口７ｂを開放して補給路７ａと球抜通路３０とを連通させる状態となる。なお、球抜弁６０ｃの操作部の操作は、手動で行ってもよく、制御信号に基づいて駆動力を発生させるような駆動装置を介して行ってもよい。
【００２４】
また、球抜通路３０を構成する球抜上流通路３０ａが球払出装置１０に隣接する位置（図８において左側）に設けられており、この球抜上流通路３０ａは上方に開放状態となっており、側壁上端部は球払出装置１０のケース１０ａの側壁上端と同じ高さに位置している。そして、球抜上流通路３０ａは、球抜弁６０ｃが図８に示す時計回りに回動した球抜き時に、球抜口７ｂを介して補給路７ａと連通することになる。また、球抜上流通路３０ａは、図９（Ｂ）に示すように、側面視略Ｌ字状で四角筒状に構成され、下流端部分が払出上流通路２０ａの下流端部分と接続されている。すなわち、球抜上流通路３０ａは、球抜弁６０ｃの下方から球払出装置１０のケース１０ａの側壁下端と同じ高さの位置まで伸び、さらに内枠３の後面３ｂ側から前面３ａ側に向かって下傾斜するように計数センサ１０ｉの下方位置まで伸びる形状である。そして、球抜時には、補給路７ａを流下する遊技球Ｂが球抜口７ｂを介して球抜上流通路３０ａに流入し、球抜通路３０を払出通路２０と接続される位置まで流下し、その後共通球通路４０を流下することになる。
【００２５】
次に、共通球通路４０について説明する。共通球通路４０は、図４、図５に示すように、内枠３側に位置する共通上流通路４０ａと、当該共通上流通路４０ａとその下流側で接続され前面枠５側に位置する共通中流通路４０ｂと、当該共通中流通路４０ｂとその下流側で接続され前面枠５側に位置する共通下流通路４０ｃと、を備えている。共通上流通路４０ａは、図９、図１０に示すように、上流端部が計数センサ１０ｉの下方位置付近で払出上流通路２０ａの下流端部と球抜上流通路３０ａの下流端部との合流部に接続される構成となっている。また、共通上流通路４０ａは、四角筒状に構成され、遊技球Ｂを内枠３の後面３ｂ側から前面３ａ側に誘導するように前方が低位置となる構成で傾斜しており、下流端部は前面枠５側の共通中流通路４０ｂの上流端部と接続される構成となっている。
【００２６】
また、共通上流通路４０ａの下方壁部には、満タンスイッチ７０が設けられており、上皿５ｃ及び下皿（球受皿）５ｄが満タンとなり、共通球通路４０において遊技球Ｂが貯留した状態を検出するようになっている。具体的には、満タンスイッチ７０は、満タンスイッチ７０を構成する各種部品を収容する収容部７０ａと、共通球通路４０と交差する左右方向に沿った回動軸線Ｇ３を中心に回動する軸支部７０ｂと、この軸支部７０ｂから接線方向に近い方向へ長手板状に延出する検知部７０ｃと、この検知部７０ｃの回動状態を検出するセンサ部７０ｄと、を備えている。また、収容部７０ａは上方側が開放されており、共通上流通路４０ａの下方壁部に形成された開口部４０ｄの下方に配置され、検知部７０ｃがこの開口部４０ｄを閉塞可能に位置している。また、検知部７０ｃは、遊技球Ｂが共通上流通路４０ａを通過しない通常時では、図９（Ａ）の一点鎖線で示すように、図示しないバネ等の弾性部材の付勢により共通上流通路４０ａ内に突出する状態となっており、一方で、遊技球Ｂが共通上流通路４０ａを通過する時は、図９（Ａ）の実線で示すように、共通上流通路４０ａの下側壁部を構成するように遊技球Ｂの重さで下方位置に位置する状態となる。例えば、共通球通路４０において下流側から共通上流通路４０ａまで遊技球Ｂによって満たされた場合、遊技球Ｂが検知部７０ｃ上に定常的に位置することになり、検知部７０ｃが下方に位置する状態を、センサ部７０ｄによって遊技球Ｂが満杯となった状態として検出し、球払出装置１０の駆動を停止して払い出しを停止させ、通路及び球払出装置１０内での球詰まりを防止することができるようになっている。
【００２７】
共通中流通路４０ｂは、図４、図５に示すように、側面視略逆Ｌ字形状の四角筒状に構成され、内枠３の前面３ａ側（より具体的には透明板５ｂの前面側）に位置し、垂直通路部が遊技盤４の上端から下端に亘るように前面枠５の飾り部５ｋ内に配置されている。また、共通中流通路４０ｂは、上流側端部が共通上流通路４０ａの下流側端部と接続されると共に、下流側端部が共通下流通路４０ｃの上流側端部と接続され、共通上流通路４０ａ及び共通下流通路４０ｃと連通する構成である。なお、共通中流通路４０ｂは、前面枠５の開放時に、共通上流通路４０ａと離間可能に構成されている。そして、共通中流通路４０ｂは、共通上流通路４０ａから供給される遊技球Ｂをさらに内枠３の前方側（前面枠５側）に流下させた後、内枠３の前面３ａ側を遊技盤４の上方から下方にかけて鉛直下方に流下させる構成となっている。
【００２８】
共通下流通路４０ｃは、図１０〜図１２に示すように、左右方向に伸びる四角筒状に構成され、内枠３の前面３ａ側（より具体的には透明板５ｂの前面側）に位置して、右側の一部が前面側に突出した前面枠５の飾り部５ｋ（図１等参照）内に配置されている。また、共通下流通路４０ｃは、上流側端部が共通中流通路４０ｂの下流側端部と上下方向で接続されると共に、下流側端部が払出下流通路２０ｂの上流側通路と排出通路５０の上流側端部とに接続される構成となっている。そして、共通下流通路４０ｃは、共通中流通路４０ｂから供給される遊技球Ｂを左方向に流下させる構成となっている。
【００２９】
また、共通下流通路４０ｃは、図１１、図１２に示すように、払出下流通路２０ｂと連通するように構成されている。具体的には、払出下流通路２０ｂは、内枠３の前面３ａ側（より具体的には透明板５ｂの前面側）の前面枠５（飾り部５ｋ）から突出するように、下流端が上皿５ｃの端部上方に位置して配置され、図１１の実線で示す切替部８０を介して共通下流通路４０ｃと接続される構成である。また、払出下流通路２０ｂは、正面視略逆Ｌ字形状且つ四角筒状に構成され、下端には払出下流通路２０ｂから流出した遊技球Ｂが上皿５ｃで跳ねて飛び出さないように上皿５ｃ上端の一部を閉塞する蓋部が形成されている。そして、払出下流通路２０ｂは、共通下流通路４０ｃから供給される遊技球Ｂを上皿５ｃへと誘導する構成となっている。
【００３０】
また、共通下流通路４０ｃは、図１１、図１２に示すように、切替部（切替手段）８０を介して排出通路５０と連通するように構成されている。具体的には、排出通路５０は、図５に示すように、遊技盤４の下方に位置し、内枠３の前面３ａ側に位置するように前面枠５に設けられる排出上流通路５０ａ（図１２も参照）と、内枠３に設けられる排出中流通路５０ｂ（図１２も参照）と、内枠３の後方側で下側ベース８に設けられる排出下流通路５０ｃと、を備えている。また、排出上流通路５０ａは、前後方向に延びる四角筒状に形成され、共通下流通路４０ｃの下流側端部の下方壁部に形成された開口部４０ｅと上下方向で重なる位置で上方側に開放する構成となっており、共通下流通路４０ｃからの遊技球Ｂを切替部（切替手段）８０を介して内枠３の前面３ａ側から後面３ｂ側に向けて流下するようにしている。また、排出中流通路５０ｂは、図５に示すように、断面視略Ｌ字状且つ四角筒状に形成され、上流側端部が排出上流通路５０ａの後方側端部と接続され、下流側端部が排出下流通路５０ｃの上流側端部と接続されている。そして、前面枠５の開放時に、排出上流通路５０ａは、排出中流通路５０ｂと離間可能に構成されている。また、排出下流通路５０ｃは、図５に示すように、断面視クランク形状且つ四角筒状に形成され、上流側端部が遊技領域ＡＲを流下した遊技球Ｂの集合樋と連通し、前後通路部の上流部に排出中流通路５０ｂの下流端部が接続されており、排出下流通路５０ｃの下流側端部が機外への排出口５０ｄとなっている。このような構成によって、排出通路５０は、球抜通路３０を経て流下する球抜きされた遊技球Ｂを内枠３の前面３ａ側から後面３ｂ側に誘導して機外へ排出するようになっている。そして、遊技領域ＡＲに発射された遊技球Ｂも排出下流通路５０ｃを介して機外に排出される。
【００３１】
なお、本実施形態では、払出通路２０は、払出上流通路２０ａと、共通球通路４０（共通上流通路４０ａ、共通中流通路４０ｂ、共通下流通路４０ｃ）と、払出下流通路２０ｂと、から構成されている。また、球抜通路３０は、球抜上流通路３０ａと、共通球通路４０（共通上流通路４０ａ、共通中流通路４０ｂ、共通下流通路４０ｃ）と、から構成されている。
【００３２】
また、共通下流通路４０ｃの下流側端部の下方壁部には、図１１、図１２に示すように、切替部８０が設けられている。切替部８０は、遊技盤４の盤面４ａと直交する回動軸線Ｇ４を中心に回動する軸支部８０ａと、この軸支部８０ａから径方向に延出する板形状であり正面視クランク形状の切替弁８０ｂと、軸支部８０ａにおいて切替弁８０ｂが延出する方向と逆方向に延出する略板状の操作部８０ｃと、操作部８０ｃと当接可能な構成で切替弁８０ｂの回動を制御する棒状のストッパ８０ｄと、を備えている。なお、ストッパ８０ｄは、例えば手動又は駆動装置による制御によって、操作部８０ｃと係脱する前後方向に変位可能に構成されている。そして、遊技球Ｂの払い出し時には、図１１に示すように、ストッパ８０ｄが操作部８０ｃの上方で係合（当接）するように位置させることで、切替弁８０ｂが共通下流通路４０ｃの開口部４０ｅを閉塞し（図１１の実線参照）、共通下流通路４０ｃと払出下流通路２０ｂとを連通させて、共通下流通路４０ｃと排出通路５０とを遮断する。一方で、遊技球Ｂの球抜き時には、例えばストッパ８０ｄを後方側へ変位させて操作部８０ｃとの係合を解除し、切替弁８０ｂが回動軸線Ｇ４を中心に共通下流通路４０ｃの開口部４０ｅよりも下方側に傾動し（図１１の一点鎖線参照）、共通下流通路４０ｃと払出下流通路２０ｂとの接続を遮断して、共通下流通路４０ｃと排出通路５０とが連通するようになる。
【００３３】
（遊技球の払い出し時の動作）
次に、第１実施形態の遊技機１における遊技球Ｂの払い出し時の動作について説明する。
まず、常態では球抜部６０は、図８の実線に示すように、揺動不可状態の球抜弁６０ｃが補給路７ａの球抜口７ｂを閉塞し、補給路７ａと球払出装置１０とが連通した状態となっている。また、切替弁８０ｂが共通下流通路４０ｃの開口部４０ｅを閉塞し（図１１の実線参照）、共通下流通路４０ｃと払出下流通路２０ｂとが連通する状態となっている。そして、補給タンク７に図示しない球経路から遊技球Ｂが補給されると、その遊技球Ｂは、図８、図９（Ａ）に示すように、補給タンク７から補給路７ａを介して球払出装置１０に供給される。また、球払出装置１０が作動していない状態では、スクリュー１０ｄが停止して、遊技球Ｂは受部１０ｇに支持されると共に溝部１０ｆに入り込んで受け止められる。また、溝部１０ｆに入り込んだ遊技球Ｂの後続の遊技球Ｂは、補給路７ａで連続して整列させられ、待機（貯留）することになる。
【００３４】
そして、例えば遊技者による貸球の要求があった場合や、遊技において遊技球Ｂの入賞が検出された場合などには、払出制御基板８ｂなどの制御信号に基づいて、モータ１０ｂが駆動制御されスクリュー１０ｄが駆動軸１０ｃ（回転軸線Ｇ１）を中心に反時計回りに回転する。この時、溝部１０ｆに入り込んだ遊技球Ｂは、図９（Ａ）に示すように、受部１０ｇにガイドされつつ溝部１０ｆによって前方に押し出されることになる。スクリュー１０ｄから押し出された遊技球Ｂは、計数センサ１０ｉを通過し計数された後、払出上流通路２０ａを流下して、共通球通路４０に供給されることになる。
【００３５】
共通球通路４０に供給された遊技球Ｂは、共通上流通路４０ａ、共通中流通路４０ｂ、共通下流通路４０ｃの順に流下していく。ここで、遊技球Ｂは、共通中流通路４０ｂ、共通下流通路４０ｃを流下する際に内枠３の前面３ａ側を通過することになる。そして、切替弁８０ｂによって共通下流通路４０ｃと払出下流通路２０ｂとが連通しているため（図１１の実線参照）、遊技球Ｂは共通球通路４０から払出下流通路２０ｂに供給されることになる。また、払出下流通路２０ｂを流下する遊技球Ｂは、前面枠５の上皿５ｃ（図１など参照）に供給され、整流器５ｉ（図１，図７参照）を介して発射装置５ｊまで誘導されることになる。さらに、この上皿５ｃが遊技球Ｂで一杯になった時には、流入口５ｅを介して溢れ出た遊技球Ｂが下流側通路５ｆを流下して下皿５ｄに誘導され、排出口５ｇから下皿５ｄの下方に配置された球箱、計数器等へと排出されることになる。
【００３６】
（遊技球の球抜き時の動作）
次に、第１実施形態の遊技機１における遊技球Ｂの球抜き時の動作について説明する。例えば、台替えや球払出装置１０の交換の時などに、球払出装置１０、補給路７ａ、補給タンク７に貯留されている遊技球Ｂを機外へと排出する操作を行う。まず、補給タンク７に遊技球Ｂを供給する球経路を遮断し、補給タンク７に遊技球Ｂが供給されないようにしておく。また、切替部８０において、ストッパ８０ｄを操作して切替弁８０ｂによる共通下流通路４０ｃと排出通路５０とが連通する状態を解除しておく。そして、球抜部６０において、球抜弁６０ｃのロック状態（図示しない操作部による揺動不可状態）を解除して、補給路７ａと球抜上流通路３０ａとが連通可能な状態（より具体的には、球抜弁６０ｃが揺動自在な状態）とする。すると、球払出装置１０の上流に位置する補給路７ａ、補給タンク７に貯留していた遊技球Ｂは、図８の一点鎖線で示すように、球抜弁６０ｃを時計回りに回動させつつ補給路７ａの球抜口７ｂから球抜上流通路３０ａへと排出されることになる。そして、遊技球Ｂは球抜上流通路３０ａを内枠３の後面３ｂ側から前面３ａ側へと流下して共通球通路４０に供給され、上述した遊技球Ｂの払い出し時と同様に、共通上流通路４０ａ、共通中流通路４０ｂ、共通下流通路４０ｃの順に内枠３の前面３ａ側を流下していく。
【００３７】
そして、切替弁８０ｂが作用して共通下流通路４０ｃと排出通路５０とが連通しているため（図１１の一点鎖線参照）、遊技球Ｂは共通球通路４０から排出通路５０に供給されることになる。また、排出通路５０に供給された遊技球Ｂは、図５に示すように、排出上流通路５０ａ、排出中流通路５０ｂ、排出下流通路５０ｃの順に流下していく。具体的には、球抜された遊技球Ｂは、球抜上流通路３０ａ及び共通上流通路４０ａで内枠３の後面３ｂ側から前面３ａ側へ流下し、共通中流通路４０ｂ、共通下流通路４０ｃ、及び排出上流通路５０ａを流下する際に内枠３の前面３ａ側を通過して、排出中流通路５０ｂで内枠３の前面３ａ側から後面３ｂ側へと流下し、排出下流通路５０ｃを下流側へ流下した遊技球Ｂは、内枠３の後面３ｂ側に位置する排出口５０ｄから機外へと排出されることになる。
【００３８】
また、球払出装置１０の上流側に位置する補給路７ａ、補給タンク７などに貯留していた遊技球Ｂの球抜き作業が終了した後、球抜部６０及び切替部８０を常態に戻して前面枠５、内枠３などを開放して台替えや球払出装置１０の交換などを行う構成となっている。なお、球抜弁６０ｃ側に球払出装置１０の受部１０ｇの部位を設ける構成とすることで、球抜き時に受部１０ｇで支持されて球払出装置１０内に残った遊技球Ｂも球抜きすることができ、遊技機１内に遊技球Ｂを残すことなく球抜きすることができる。
【００３９】
（第１実施形態の主な効果）
本発明の遊技機１において、払出通路２０は、一部（具体的には払出通路２０を構成する共通中流通路４０ｂの前方側の一部と、共通下流通路４０ｃと、払出下流通路２０ｂ）が内枠３の前面３ａ側に配置され、球払出装置１０から払い出された遊技球Ｂを内枠３の前面３ａ側を通過するように上皿５ｃに誘導する構成である。また、球抜通路３０は、一部（具体的には球抜通路３０を構成する共通中流通路４０ｂの前方側の一部と、共通下流通路４０ｃ）が内枠３の前面３ａ側に配置され、球抜部６０によって抜き取られた遊技球Ｂを内枠３の前面３ａ側を通過するようにして機外へ誘導する構成である。このため、内枠３の後面３ｂ側に払出通路２０及び球抜通路３０を設ける構成と比べて、内枠３に設けられる遊技盤４の後方側のスペースを広げて払出通路２０、球抜通路３０以外の他の用途に有効に利用することができる。これにより、遊技盤４の後面側のスペースを利用して役物等の大型化が可能となり、弾球遊技機１の演出効果を一層高め易くなる。
【００４０】
また、本発明において、遊技機１は、球抜通路３０に連通し、球抜通路３０を流下する遊技球Ｂを内枠３の前面３ａ側を経由して後面３ｂ側で機外へ排出する排出通路５０を備える構成となっている。
この構成では、球抜通路３０によって内枠３の前面３ａ側で遊技球Ｂを排出することなく、内枠３の後面３ｂ側に向けて誘導させて、当該遊技球Ｂを内枠３の後面３ｂ側で機外へ排出することができる。
【００４１】
また、本発明において、払出通路２０と球抜通路３０は、一部が内枠３の前面３ａ側に配置され、遊技球Ｂが共通して通過可能な共通球通路４０を有し、共通球通路４０は、球払出装置１０から払い出された遊技球Ｂを内枠３の前面３ａ側を通過するように上皿５ｃに誘導すると共に、球抜部６０によって抜き取られた遊技球Ｂを内枠３の前面３ａ側を通過させて機外へ誘導する構成となっている。
この構成では、払出通路２０と球抜通路３０とをそれぞれ独立して設ける構成に比べて、部材点数が削減され、製造コストを低減することができ、内枠３の前面３ａ側における嵩張りを小さくしてスペースを他の用途に有効に利用することができる。
【００４２】
また、本発明において、共通球通路４０は、排出通路５０に連通可能な構成であり、共通球通路４０を通過する遊技球Ｂを払出通路２０を介して上皿５ｃに誘導する状態と、共通球通路４０を通過する遊技球Ｂを排出通路５０を介して機外へ排出する状態と、に切り替える切替部８０を備える構成となっている。
この構成では、払出通路２０と球抜通路３０とを共通球通路４０によって共通化させる構成であっても、切替部８０による切り替えによって、払出通路２０を介して上皿５ｃに誘導させる状態と、排出通路５０を介して機外に誘導させる状態と、を使い分けることができる。
【００４３】
[第２実施形態]
本発明に係る遊技機１を具現化した第２実施形態について、図１３〜図２４等を参照して説明する。上記第１実施形態では、払出通路２０と球抜通路３０において遊技球Ｂが共通して通過可能な共通球通路４０を有する構成を示したが、第２実施形態では、払出通路２２０と球抜通路２３０とがそれぞれ独立して、一部が内枠３の前面３ａ側に配置される構成である。以下、第１実施形態と同一の部分については第１実施形態と同一の符号を付し、適宜、図１〜１２を参照し、詳細な説明は省略する。
【００４４】
（球通路の構成）
まず、第２実施形態の遊技機１における遊技球Ｂの払い出し及び球抜きを行う球通路について、図１３〜図２４等を用いて説明する。
本構成において、払出通路２２０は、払出上流通路２２０ａと、払出中流通路２２０ｂと、払出下流通路２２０ｃと、によって構成されている。また、球払出装置１０は払出通路２２０を構成する払出上流通路２２０ａと連通している。この払出上流通路２２０ａは、図２１（Ａ）、図２２に示すように、スクリュー１０ｄの終端部の位置から下方に向けて伸びる上流側部分と、この上流側部分の下側で連通して内枠３の後面３ｂ側から前面３ａ側に伸びる下流側部分とで略Ｌ字の筒状に構成され、払出上流通路２２０ａの下流端は、払出中流通路２２０ｂの上流側端部と接続される構成である。なお、払出中流通路２２０ｂは、前面枠５の開放時に、払出上流通路２２０ａと離間可能に構成されている。
【００４５】
払出中流通路２２０ｂは、図１６、図１７に示すように、側面視略逆Ｌ字形状の四角筒状に構成され、内枠３の前面３ａ側（より具体的には透明板５ｂの前面側）に位置し、垂直通路部が遊技盤４の上端から下端に亘るように前面枠５の飾り部５ｋ内に配置されている。また、払出中流通路２２０ｂは、下流側端部が払出下流通路２２０ｃの上流側端部と接続され、払出下流通路２２０ｃと連通する構成である。そして、払出中流通路２２０ｂは、払出上流通路２２０ａから供給される遊技球Ｂを内枠３の前方側に流下させた後、内枠３の前面３ａ側を遊技盤４の上方から下方にかけて鉛直下方に流下させる構成となっている。
【００４６】
払出下流通路２２０ｃは、図２２〜図２４に示すように、正面視略Ｌ字形状の四角筒状に構成され、内枠３の前面３ａ側（より具体的には透明板５ｂの前面側）に配置され、右側の一部が前面枠５の飾り部５ｋ（図２３等参照）内から突出するように、下流側端部が上皿５ｃの端部上方に位置して配置されている。そして、払出下流通路２２０ｃは、払出中流通路２２０ｂから供給される遊技球Ｂを上皿５ｃへと誘導する構成となっている。
【００４７】
また、本実施形態において、球抜通路２３０は、球抜上流通路２３０ａと、球抜中流通路２３０ｂと、によって構成されている。また、球抜上流通路２３０ａが球払出装置１０に隣接する位置に設けられており、この球抜上流通路２３０ａは上方に開放状態となっており、側壁上端部は球払出装置１０のケース１０ａの側壁上端と同じ高さに位置している。そして、球抜上流通路２３０ａは、球抜弁６０ｃが図２０に示す時計回りに回動した球抜き時に、補給路７ａの球抜口７ｂを介して補給路７ａと連通することになる。また、球抜上流通路２３０ａは、図２１（Ｂ）に示すように、側面視略Ｌ字状で四角筒状に構成され、下流端部分が球抜中流通路２３０ｂの上流端部と接続されている。また、球抜上流通路２３０ａは、前方側の一部が払出上流通路２２０ａと上下方向で重なるように配置され、下流側端部が払出上流通路２２０ａの下流側端部と前後方向で同じ位置に位置している。そして、球抜時には、補給路７ａを流下する遊技球Ｂが球抜口７ｂを介して球抜上流通路２３０ａに流入し、球抜中流通路２３０ｂに供給されることになる。
【００４８】
球抜中流通路２３０ｂは、図１６、図１７に示すように、側面視略逆Ｌ字形状の四角筒状に構成され、前方側の一部が内枠３の前面３ａ側（より具体的には透明板５ｂの前面側）に位置し、垂直通路部が遊技盤４の上端から下端に亘るように前面枠５の飾り部５ｋ内に配置されている。また、球抜中流通路２３０ｂは、下流側端部が排出通路２５０の上流側端部と接続され、排出通路２５０と連通する構成である。そして、球抜中流通路２３０ｂは、球抜上流通路２３０ａから供給される遊技球Ｂをさらに内枠３の前方側（前面枠５側）に流下させた後、内枠３の前面３ａ側を遊技盤４の上方から下方にかけて鉛直下方に流下させる構成となっている。
【００４９】
なお、本構成において、図１６、図１７に示すように、払出中流通路２２０ｂと球抜中流通路２３０ｂとは、それぞれ逆Ｌ字状に形成され、内枠３の前面３ａ側で始端部が上下方向に重なると共に前面枠５の飾り部５ｋ内において前後方向に重なるように配置されている。具体的には、払出中流通路２２０ｂの底壁及び後方側の壁部が球抜中流通路２３０ｂの上壁及び前方側の壁部と共有しており、内枠３の前面３ａ側（より具体的には透明板５ｂの前面側）を流下する際に払出中流通路２２０ｂが球抜中流通路２３０ｂの前方に配置される構成である。また、図２１（Ａ）（Ｂ）に示すように、払出上流通路２２０ａと、球抜上流通路２３０ａも、それぞれＬ字状に形成され、側方から見て始端部が前後方向に重なると共に前方側の一部（球払出装置１０の前端部よりも前方側に位置する部分）は、主に内枠３内において上下方向に重なるように一側壁を共有壁として配置されている。
【００５０】
排出通路２５０は、図１７に示すように、前面枠５に設けられる排出上流通路２５０ａ（図２４も参照）と、内枠３に設けられる排出中流通路２５０ｂ（図２４も参照）と、内枠３の後方側で下側ベース８に設けられる排出下流通路２５０ｃと、を備えている。また、排出上流通路２５０ａは、図２２〜図２４に示すように、正面視略Ｌ字形状且つ平面視略逆Ｌ字形状の四角筒状に構成され、上流側が前面枠５の飾り部５ｋ内に設けられ、下流側が飾り部５ｋの側壁から突出して内枠３の前面３ａ側に配置されている。また、排出上流通路２５０ａは、上流側端部が球抜中流通路２３０ｂの下流側端部と上下方向で接続されると共に、下流側端部が排出中流通路２５０ｂの上流側端部と前後方向で接続される構成となっている。そして、排出上流通路２５０ａは、球抜中流通路２３０ｂから供給される遊技球Ｂを内枠３の前面３ａ側から後面３ｂ側に流下させる排出中流通路２５０ｂへと誘導する構成となっている。また、排出中流通路２５０ｂは、図１７に示すように、断面視略Ｌ字状且つ四角筒状に形成され、上流側端部が排出上流通路２５０ａの後方側端部と接続され、下流側端部が排出下流通路２５０ｃの上流側端部と接続されている。なお、排出上流通路２５０ａは、前面枠５の開放時に、排出中流通路２５０ｂと離間可能に構成されている。また、排出下流通路２５０ｃは、図１７に示すように、断面視クランク形状且つ四角筒状に形成され、上流側端部が遊技領域ＡＲを流下した遊技球Ｂの集合樋と連通し、前後通路部の上流部に排出中流通路２５０ｂの下流端部が接続されており、排出下流通路２５０ｃの下流側端部が機外への排出口２５０ｄとなっている。このような構成によって、排出通路２５０は、球抜通路２３０を経て流下する球抜きされた遊技球Ｂを内枠３の前面３ａ側から後面３ｂ側に誘導して機外へ排出するようになっている。そして、遊技領域ＡＲに発射された遊技球Ｂも排出下流通路２５０ｃを介して機外に排出される。
【００５１】
（遊技球の払い出し時の動作）
次に、第２実施形態の遊技機１における遊技球Ｂの払い出し時の動作について説明する。
まず、常態では球抜部６０は、図２０の実線に示すように、揺動不可状態の球抜弁６０ｃが補給路７ａの球抜口７ｂを閉塞し、補給路７ａと球払出装置１０とが連通した状態となっている。そして、補給タンク７に図示しない球経路から遊技球Ｂが補給されると、その遊技球Ｂは、図２０、図２１（Ａ）に示すように、補給タンク７から補給路７ａを介して球払出装置１０に供給される。また、球払出装置１０が作動していない状態では、スクリュー１０ｄが停止して、遊技球Ｂは受部１０ｇに支持されると共に溝部１０ｆに入り込んで受け止められる。また、溝部１０ｆに入り込んだ遊技球Ｂの後続の遊技球Ｂは、補給路７ａで連続して整列させられ、待機（貯留）することになる。
【００５２】
そして、例えば遊技者による貸球の要求があった場合や、遊技において遊技球Ｂの入賞が検出された場合などには、払出制御基板８ｂなどの制御信号に基づいて、モータ１０ｂが駆動制御されスクリュー１０ｄが駆動軸１０ｃ（回転軸線Ｇ１）を中心に反時計回りに回転する。この時、溝部１０ｆに入り込んだ遊技球Ｂは、図２１（Ａ）に示すように、受部１０ｇにガイドされつつ溝部１０ｆによって前方に押し出されることになる。スクリュー１０ｄから押し出された遊技球Ｂは、計数センサ１０ｉを通過し計数された後、払出上流通路２２０ａを流下し、払出中流通路２２０ｂに供給されることになる。
【００５３】
払出中流通路２２０ｂに供給された遊技球Ｂは、内枠３の前面３ａ側を流下して払出下流通路２２０ｃに供給される。そして、払出下流通路２２０ｃを流下する遊技球Ｂは、前面枠５の上皿５ｃ（図１３など参照）に供給され、整流器５ｉ（図１３，図１９参照）を介して発射装置５ｊまで誘導されることになる。さらに、この上皿５ｃが遊技球Ｂで一杯になった時には、流入口５ｅを介して溢れ出た遊技球Ｂが下流側通路５ｆを流下して下皿５ｄに誘導され、排出口５ｇから下皿５ｄの下方に配置された球箱，計数器等へと排出されることになる。
【００５４】
（遊技球の球抜き時の動作）
次に、第２実施形態の遊技機１における遊技球Ｂの球抜き時の動作について説明する。例えば、台替えや球払出装置１０の交換の時などに、球払出装置１０、補給路７ａ、補給タンク７に貯留されている遊技球Ｂを機外へと排出する操作を行う。まず、補給タンク７に遊技球Ｂを供給する球経路を遮断し、補給タンク７に遊技球Ｂが供給されないようにしておく。そして、球抜部６０において、球抜弁６０ｃのロック状態（図示しない操作部による揺動不可状態）を解除して、補給路７ａと球抜上流通路２３０ａとが連通可能な状態（より具体的には、球抜弁６０ｃが揺動自在な状態）とする。すると、球払出装置１０の上流に位置する補給路７ａ、補給タンク７に貯留していた遊技球Ｂは、図２０の一点鎖線で示すように、球抜弁６０ｃを時計回りに回動させつつ補給路７ａの球抜口７ｂから球抜上流通路２３０ａへと排出されることになる。そして、遊技球Ｂは球抜上流通路２３０ａを内枠３の後面３ｂ側から前面３ａ側へと流下して球抜中流通路２３０ｂに供給される。
【００５５】
そして、球抜中流通路２３０ｂに供給された遊技球Ｂは、内枠３の前面３ａ側を流下して排出通路２５０に供給される。また、排出通路２５０に供給された遊技球Ｂは、図１７に示すように、排出上流通路２５０ａ、排出中流通路２５０ｂ、排出下流通路２５０ｃの順に流下していく。具体的には、球抜きされた遊技球Ｂは、球抜上流通路２３０ａで内枠３の後面３ｂ側から前面３ａ側へ流下し、球抜中流通路２３０ｂ、排出上流通路２５０ａを流下する際に内枠３の前面３ａ側を通過して、排出中流通路２５０ｂで内枠３の前面３ａ側から後面３ｂ側へと流下し、排出下流通路２５０ｃを下流側へ流下した遊技球Ｂは、内枠３の後面３ｂ側に位置する排出口２５０ｄから機外へと排出されることになる。
【００５６】
また、球払出装置１０の上流側に位置する補給路７ａ、補給タンク７などに貯留していた遊技球Ｂの球抜き作業が終了した後、前面枠５、内枠３などを開放して台替えや球払出装置１０の交換などを行う構成となっている。なお、球抜弁６０ｃ側に球払出装置１０の受部１０ｇの部位を設ける構成とすることで、球抜き時に受部１０ｇで支持されて球払出装置１０内に残った遊技球Ｂも球抜きすることができ、遊技機１内に遊技球Ｂを残すことなく球抜きすることができる。
【００５７】
（第２実施形態の主な効果）
本発明の遊技機１において、払出通路２２０は、一部（具体的には払出通路２２０を構成する払出中流通路２２０ｂの前方側の一部と、払出下流通路２２０ｃ）が内枠３の前面３ａ側に配置され、球払出装置１０から払い出された遊技球Ｂを内枠３の前面３ａ側を通過するように上皿５ｃに誘導する構成である。また、球抜通路２３０は、一部（具体的には球抜通路２３０を構成する球抜中流通路２３０ｂの前方側の一部）が内枠３の前面３ａ側に配置され、球抜部６０によって抜き取られた遊技球Ｂを内枠３の前面３ａ側を通過するようにして機外へ誘導する構成である。このため、内枠３の後面３ｂ側に払出通路２２０及び球抜通路２３０を設ける構成と比べて、内枠３に設けられる遊技盤４の後方側のスペースを広げて払出通路２２０、球抜通路２３０以外の他の用途に有効に利用することができる。これにより、遊技盤４の後面側のスペースを利用して役物等の大型化が可能となり、弾球遊技機１の演出効果を一層高め易くなる。
【００５８】
また、本発明において、遊技機１は、球抜通路２３０に連通し、球抜通路２３０を流下する遊技球Ｂを内枠３の前面３ａ側を経由して後面３ｂ側で機外へ排出する排出通路２５０を備える構成となっている。
この構成では、球抜通路２３０によって内枠３の前面３ａ側で遊技球Ｂを排出することなく、内枠３の後面３ｂ側に向けて誘導させて、当該遊技球Ｂを内枠３の後面３ｂ側で機外へ排出することができる。
【００５９】
また、本発明において、払出通路２２０の一部（具体的には払出中流通路２２０ｂ）と、球抜通路２３０の一部（具体的には球抜中流通路２３０ｂ）は、内枠３の前面３ａ側において前後方向に重なるように配置されている。
この構成では、払出通路２２０と球抜通路２３０とが遊技盤４の盤面（前面）４ａに沿って併設して前面枠５内に配置される構成と比べて、遊技盤４の盤面（前面）４ａ側で当該遊技盤４の盤面（前面）４ａに平行な方向のスペースを確保し易くなる。このため、遊技盤４の盤面（前面）４ａに形成される遊技領域ＡＲの範囲を大きく設定でき、設計の自由度を高めることができる。
【００６０】
［他の実施形態]
本発明は上記記述及び図面によって説明した実施形態に限定されるものではなく、例えば次のような実施形態も本発明の技術的範囲に含まれる。
【００６１】
上記第１実施形態では、前面枠５の開放時に、払出通路２０及び球抜通路３０を構成する共通上流通路４０ａと共通中流通路４０ｂとが離間する構成を示したが、共通上流通路４０ａと共通中流通路４０ｂとが離間することなく払出通路２０及び球抜通路３０が一連の繋がった通路として構成されていてもよい。すなわち、共通中流通路４０ｂは、前面枠５に固定されることなく共通上流通路４０ａに接続され、前面枠５の閉鎖時に前面枠５内（前方側の一部は内枠３の前面３ａ側、より具体的には透明板５ｂの前面側）に配置される構成としてもよい。
同様に、上記第２実施形態においても、払出通路２２０及び球抜通路２３０がそれぞれ一連の繋がった通路として構成されていてもよい。すなわち、払出中流通路２２０ｂは、前面枠５に固定されることなく払出上流通路２２０ａと接続され、前面枠５の閉鎖時に前面枠５内（前方側の一部は内枠３の前面３ａ側、より具体的には透明板５ｂの前面側）に配置される構成としてもよい。また、球抜中流通路２３０ｂは、前面枠５に固定されることなく球抜上流通路２３０ａと接続され、前面枠５の閉鎖時に前面枠５内（前方側の一部は内枠３の前面３ａ側、より具体的は透明板５ｂの前面側）に配置される構成としてもよい。
【００６２】
また、上記第１実施形態では、遊技球Ｂの球抜時に、切替弁８０ｂによって共通下流通路４０ｃと排出通路５０とを連通させることで、球抜部６０によって抜き取った球払出装置１０に供給される遊技球Ｂを排出通路５０から排出する構成を例示した。しかしながら、遊技球Ｂの球抜時に、共通下流通路４０ｃと払出下流通路２０ｂとを連通させた状態で、球抜部６０によって補給タンク７及び補給路７ａから抜き取った遊技球Ｂを上皿５ｃへと誘導する構成としてもよい。
【００６３】
また、上記第１実施形態では、切替部（切替手段）８０を設けて遊技機１の払い出し状態と球抜き状態とを切り替える構成を例示したが、切替部（切替手段）８０及び排出通路５０を設けることなく、球抜き時に払出下流通路２０ｂを共通下流通路４０ｃに続く共通通路として用いて上皿５ｃ又は下皿５ｄに遊技球Ｂを誘導する構成としてもよい。すなわち、球抜通路３０が、球抜上流通路３０ａと、共通球通路４０（共通上流通路４０ａ、共通中流通路４０ｂ、共通下流通路４０ｃ）と、払出下流通路２０ｂと、から構成されるようにしてもよい。そして、球抜き時に上皿５ｃ又は下皿５ｄに貯留する遊技球Ｂを、球箱、計数器（カウンター）等を介して機外に排出してもよい。
【００６４】
また、上記第１実施形態では、球払出装置１０に供給される補給タンク７及び補給路７ａの遊技球Ｂの球抜時に、補給路７ａに設けた球抜部（球抜き手段）６０によって抜き取った遊技球Ｂを排出通路５０から排出する構成を例示した。しかしながら、遊技球Ｂを供給する補給路７ａに球抜部６０を設けることなく、球払出装置１０を球抜き手段として動作させる構成としてもよい。このとき、払出上流通路２０ａは球抜上流通路３０ａとして機能する共通通路となる。そして、遊技球Ｂの球抜時に、切替弁８０ｂによって共通下流通路４０ｃと排出通路５０とを連通させた状態で、球払出装置１０を球抜き手段として作動させて、補給路７ａからの遊技球Ｂを払出通路２０（共通球通路４０）に払い出して、内枠３の前面３ａ側を経由して排出通路５０から排出する構成としてもよい。また、遊技球Ｂの球抜時に、切替弁８０ｂによって共通下流通路４０ｃと払出下流通路２０ｂとを連通させる状態として、球払出装置１０の駆動によって、球抜きされた遊技球Ｂを上皿５ｃへと誘導する構成としてもよい。なお、これらの場合、球払出装置１０を駆動する方法として、球払出装置１０を所定の時間だけ駆動させる球抜スイッチを設け、この球抜スイッチを操作することにより球払出装置１０を駆動させて、補給路７ａから遊技球Ｂの球抜きを行う構成としてもよい。
【００６５】
また、上記第２実施形態では、球払出装置１０に供給される補給タンク７及び補給路７ａの遊技球Ｂの球抜時に、補給路７ａに設けた球抜部（球抜き手段）６０によって抜き取った補給タンク７及び補給路７ａの遊技球Ｂを球抜通路２３０を通過させ、排出通路５０から排出する構成を例示した。しかしながら、遊技球Ｂを供給する補給路７ａに球抜部６０を設けることなく、球払出装置１０を球抜き手段として動作させる構成としてもよい。すなわち、払出通路２２０を共通通路として、遊技球Ｂの球抜時に、補給路７ａと球払出装置１０とを連通させる状態で球払出装置１０を球抜き手段として駆動させて、補給路７ａからの遊技球Ｂを払出上流通路２２０ａに払い出して、上皿５ｃへと誘導する構成としてもよい。また、同様に、球払出装置１０を球抜き手段として駆動する方法として、球払出装置１０を所定の時間だけ駆動させる球抜スイッチを設け、この球抜スイッチを操作することにより球払出装置１０を駆動させて、補給路７ａから遊技球Ｂの球抜きを行う構成としてもよい。
【００６６】
また、上記第１実施形態では、払出通路２０及び球抜通路３０の一部が前面枠５の飾り部５ｋ内に配置される構成を例示したが、払出通路２０及び球抜通路３０の少なくとも一方の一部（例えば、共通中流通路４０ｂ）が前面枠５（飾り部５ｋ）よりも前方側に突出するように配置される構成としてもよい。すなわち、払い出し時又は球抜き時に遊技球Ｂが少なくとも前面枠５の前側で流下する構成としてもよい。
同様に、上記第２実施形態においても、払出通路２２０及び球抜通路２３０の少なくとも一方の一部（例えば、払出中流通路２２０ｂ、球抜中流通路２３０ｂ）が前面枠５よりも前方側に突出するように配置される構成としてもよい。
【００６７】
また、上記第１実施形態では、払出通路２０、球抜通路３０、共通球通路４０及び排出通路５０の通路形状を四角筒状に形成する構成を例示したが、遊技球Ｂが通過可能な四角筒状以外の形状に形成してもよい。例えば、払出通路２０、球抜通路３０、共通球通路４０及び排出通路５０等の通路形状を、遊技球Ｂが通過可能な円筒形状に形成する構成としてもよい。
同様に、上記第２実施形態では、払出通路２２０、球抜通路２３０、及び排出通路２５０の通路形状を四角筒状に形成する構成を例示したが、遊技球Ｂが通過可能な四角筒状以外の形状に形成してもよい。例えば、払出通路２２０、球抜通路２３０、及び排出通路２５０の通路形状を、遊技球Ｂが通過可能な円筒形状に形成する構成としてもよい。
【００６８】
また、上記第１実施形態において、払出通路２０、球抜通路３０、及び共通球通路４０の少なくとも一つを、光透過性樹脂によって形成してもよい。そして、前面枠５の飾り部５ｋも光透過性材料によって形成することで、遊技球Ｂの流下を遊技者が視認できるように構成してもよい。
同様に、上記第２実施形態において、払出通路２２０、または払出通路２２０及び球抜通路２３０を、光透過性樹脂によって形成してもよい。そして、前面枠５の飾り部５ｋも光透過性材料によって形成することで、遊技球Ｂの流下を遊技者が視認できるように構成してもよい。
【符号の説明】
【００６９】
１…弾球遊技機
３…内枠
３ａ…前面
３ｂ…後面
４…遊技盤
４ａ…盤面（前面）
５…前面枠
５ｃ…上皿（球受皿）
５ｄ…下皿（球受皿）
１０…球払出装置（球抜き手段）
２０，２２０…払出通路
３０，２３０…球抜通路
４０…共通球通路
５０，２５０…排出通路
６０…球抜部（球抜き手段）
８０…切替部（切替手段）
Ｂ…遊技球
【図１】
2016106810.tif 000003
【図２】
2016106810.tif 000004
【図３】
2016106810.tif 000005
【図４】
2016106810.tif 000006
【図５】
2016106810.tif 000007
【図６】
2016106810.tif 000008
【図７】
2016106810.tif 000009
【図８】
2016106810.tif 000010
【図９】
2016106810.tif 000011
【図１０】
2016106810.tif 000012
【図１１】
2016106810.tif 000013
【図１２】
2016106810.tif 000014
【図１３】
2016106810.tif 000015
【図１４】
2016106810.tif 000016
【図１５】
2016106810.tif 000017
【図１６】
2016106810.tif 000018
【図１７】
2016106810.tif 000019
【図１８】
2016106810.tif 000020
【図１９】
2016106810.tif 000021
【図２０】
2016106810.tif 000022
【図２１】
2016106810.tif 000023
【図２２】
2016106810.tif 000024
【図２３】
2016106810.tif 000025
【図２４】
2016106810.tif 000026